【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
第１のカバレージ拡張技法に従って送信された第１のコンポーネントキャリアを受信することと、
第２のカバレージ拡張技法に従って送信された第２のコンポーネントキャリアを受信することと、ここにおいて、前記第２のカバレージ拡張技法が前記第１のカバレージ拡張技法とは異なる、を備える方法。
【請求項２】
前記第１のカバレージ拡張技法および前記第２のカバレージ拡張技法が、バンドリングをそれぞれ備え、ここにおいて、前記第１のカバレージ拡張技法と前記第２のカバレージ拡張技法との間の違いが、バンドリングサイズの違いを備える、請求項１に記載の方法。
【請求項３】
前記第１のコンポーネントキャリアおよび前記第２のコンポーネントキャリアの経路損失を測定することと、
初期アクセスのために、前記測定された経路損失に基づいて、前記第１のコンポーネントキャリアまたは前記第２のコンポーネントキャリアを選択することとをさらに備える、請求項１に記載の方法。
【請求項４】
前記第１のコンポーネントキャリアおよび前記第２のコンポーネントキャリアの経路損失を測定することと、
前記測定された経路損失に基づいて、フィードバックを送信することと、前記フィードバックが、示唆された１次セル（ＰＣｅｌｌ）を備える、をさらに備える、請求項１に記載の方法。
【請求項５】
前記第１のコンポーネントキャリアおよび前記第２のコンポーネントキャリアについて、等しくソフトバッファを区分すること、ここにおいて、ハイブリッド自動再送要求（ＨＡＲＱ）プロセスの数またはバンドリング長さが、前記第１のコンポーネントキャリアおよび前記第２のコンポーネントキャリアの各々について異なる、をさらに備える、請求項１に記載の方法。
【請求項６】
前記第１のコンポーネントキャリアおよび前記第２のコンポーネントキャリアの各々のためのハイブリッド自動再送要求（ＨＡＲＱ）プロセスの数またはバンドリング長さに基づいて、ソフトバッファを区分すること、ここにおいて、前記ＨＡＲＱプロセスの数または前記バンドリング長さが、前記第１のコンポーネントキャリアおよび前記第２のコンポーネントキャリアの各々について異なる、をさらに備える、請求項１に記載の方法。
【請求項７】
前記第１のコンポーネントキャリアおよび前記第２のコンポーネントキャリアが、前記ＵＥにおいて受信された複数のコンポーネントキャリアのサブセットに属し、ここにおいて、前記サブセットの各コンポーネントキャリアが、カバレージ拡張を必要とし、同数のハイブリッド自動再送要求（ＨＡＲＱ）プロセスに限定される、請求項１に記載の方法。
【請求項８】
前記方法が、
カバレージ拡張なしで送信された第３のコンポーネントキャリアを受信すること、ここにおいて、前記第３のコンポーネントキャリアが、限定されない数のハイブリッド自動再送要求（ＨＡＲＱ）プロセスとともに構成される、をさらに備え、
ここにおいて、前記第１のコンポーネントキャリアおよび前記第２のコンポーネントキャリアが両方とも、使用されるカバレージ拡張技法のタイプに基づいて、限定数の（ＨＡＲＱ）プロセスとともに構成される、請求項１に記載の方法。
【請求項９】
前記第１のカバレージ拡張技法および前記第２のカバレージ拡張技法が、バンドリングをそれぞれ備え、
すべての制御チャネルが、最小のバンドリングを有するコンポーネントキャリアに割り振られる、請求項１に記載の方法。
【請求項１０】
前記第１のコンポーネントキャリアがバンドルされた制御チャネルを備えるか、バンドルされない制御チャネルを備えるかに基づいて、ダウンリンク（ＤＬ）ハイブリッド自動再送要求（ＨＡＲＱ）タイミングを特定することをさらに備える、請求項１に記載の方法。
【請求項１１】
前記第１のカバレージ拡張技法または前記第２のカバレージ拡張技法のうちの少なくとも１つが、チャネル反復を備え、
前記チャネル反復の長さが、前記ＵＥのカテゴリーに基づいて、前記ＵＥによって解釈される、請求項１に記載の方法。
【請求項１２】
前記第１のコンポーネントキャリアまたは前記第２のコンポーネントキャリアのうちの少なくとも１つが、ブロードキャストチャネルを備える、請求項１１に記載の方法。
【請求項１３】
ワイヤレス通信のための装置であって、
第１のカバレージ拡張技法に従って送信された第１のコンポーネントキャリアを受信するための手段と、
第２のカバレージ拡張技法に従って送信された第２のコンポーネントキャリアを受信するための手段と、ここにおいて、前記第２のカバレージ拡張技法が前記第１のカバレージ拡張技法とは異なる、を備える装置。
【請求項１４】
前記第１のカバレージ拡張技法および前記第２のカバレージ拡張技法が、バンドリングをそれぞれ備え、ここにおいて、前記第１のカバレージ拡張技法と前記第２のカバレージ拡張技法との間の違いが、バンドリングサイズの違いを備える、請求項１３に記載の装置。
【請求項１５】
前記第１のコンポーネントキャリアおよび前記第２のコンポーネントキャリアの経路損失を測定するための手段と、
初期アクセスのために、前記測定された経路損失に基づいて、前記第１のコンポーネントキャリアまたは前記第２のコンポーネントキャリアを選択するための手段とをさらに備える、請求項１３に記載の装置。
【手続補正２】
【補正対象書類名】明細書
【補正対象項目名】０１７７
【補正方法】変更
【補正の内容】
【０１７７】
[0185]本開示の前述の説明は、当業者が本開示を作製または使用することを可能にするために与えられる。本開示への様々な変更は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についていかなる選好も暗示せず、または必要としない。したがって、本開示は、本明細書で説明される例および設計に限定されるべきでなく、本明細書で開示される原理および新規の特徴に一致する最も広い範囲を与えられるべきである。
以下に本願の出願当初の特許請求の範囲に記載された発明を付記する。
［Ｃ１］
制限された同時受信能力をもつユーザ機器（ＵＥ）におけるワイヤレス通信の方法であって、
前記ＵＥにおいて受信されるブロードキャストチャネルに関する受信時間を特定することと、
前記特定に少なくとも部分的に基づいて、前記受信時間において、前記ＵＥにおいて受信されたユニキャストチャネルを復号することを控えることとを備える方法。
［Ｃ２］
前記ＵＥにおいて、システム情報ブロック（ＳＩＢ）または物理ブロードキャストチャネル（ＰＢＣＨ）のうちの少なくとも１つを備えるブロードキャストチャネルを受信することをさらに備える、Ｃ１に記載の方法。
［Ｃ３］
前記ブロードキャストチャネルが、バンドルされたブロードキャストチャネルを備える、Ｃ２に記載の方法。
［Ｃ４］
ユーザ機器（ＵＥ）におけるワイヤレス通信の方法であって、
第１のカバレージ拡張技法に従って送信された第１のコンポーネントキャリアを受信することと、
第２のカバレージ拡張技法に従って送信された第２のコンポーネントキャリアを受信することと、ここにおいて、前記第２のカバレージ拡張技法が前記第１のカバレージ拡張技法とは異なる、を備える方法。
［Ｃ５］
前記第１のカバレージ拡張技法および前記第２のカバレージ拡張技法が、バンドリングをそれぞれ備え、ここにおいて、前記第１のカバレージ拡張技法と前記第２のカバレージ拡張技法との間の違いが、バンドリングサイズの違いを備える、Ｃ４に記載の方法。
［Ｃ６］
前記第１のコンポーネントキャリアおよび前記第２のコンポーネントキャリアの経路損失を測定することと、
初期アクセスのために、前記測定された経路損失に基づいて、前記第１のコンポーネントキャリアまたは前記第２のコンポーネントキャリアを選択することとをさらに備える、Ｃ４に記載の方法。
［Ｃ７］
前記第１のコンポーネントキャリアおよび前記第２のコンポーネントキャリアの経路損失を測定することと、
前記測定された経路損失に基づいて、フィードバックを送信することと、前記フィードバックが、示唆された１次セル（ＰＣｅｌｌ）を備える、をさらに備える、Ｃ４に記載の方法。
［Ｃ８］
前記第１のコンポーネントキャリアおよび前記第２のコンポーネントキャリアについて、等しくソフトバッファを区分すること、ここにおいて、ハイブリッド自動再送要求（ＨＡＲＱ）プロセスの数またはバンドリング長さが、前記第１のコンポーネントキャリアおよび前記第２のコンポーネントキャリアの各々について異なる、をさらに備える、Ｃ４に記載の方法。
［Ｃ９］
前記第１のコンポーネントキャリアおよび前記第２のコンポーネントキャリアの各々のためのハイブリッド自動再送要求（ＨＡＲＱ）プロセスの数またはバンドリング長さに基づいて、ソフトバッファを区分すること、ここにおいて、前記ＨＡＲＱプロセスの数または前記バンドリング長さが、前記第１のコンポーネントキャリアおよび前記第２のコンポーネントキャリアの各々について異なる、をさらに備える、Ｃ４に記載の方法。
［Ｃ１０］
前記第１のコンポーネントキャリアおよび前記第２のコンポーネントキャリアが、前記ＵＥにおいて受信された複数のコンポーネントキャリアのサブセットに属し、ここにおいて、前記サブセットの各コンポーネントキャリアが、カバレージ拡張を必要とし、同数のハイブリッド自動再送要求（ＨＡＲＱ）プロセスに限定される、Ｃ４に記載の方法。
［Ｃ１１］
前記方法が、
カバレージ拡張なしで送信された第３のコンポーネントキャリアを受信すること、ここにおいて、前記第３のコンポーネントキャリアが、限定されない数のハイブリッド自動再送要求（ＨＡＲＱ）プロセスとともに構成されるをさらに備え、
ここにおいて、前記第１のコンポーネントキャリアおよび前記第２のコンポーネントキャリアが両方とも、使用されるカバレージ拡張技法のタイプに基づいて、限定数の（ＨＡＲＱ）プロセスとともに構成される、Ｃ４に記載の方法。
［Ｃ１２］
前記第１のカバレージ拡張技法および前記第２のカバレージ拡張技法が、バンドリングをそれぞれ備え、
すべての制御チャネルが、最小のバンドリングを有する前記コンポーネントキャリアに割り振られる、Ｃ４に記載の方法。
［Ｃ１３］
前記第１のコンポーネントキャリアがバンドルされた制御チャネルを備えるか、バンドルされない制御チャネルを備えるかに基づいて、ダウンリンク（ＤＬ）ハイブリッド自動再送要求（ＨＡＲＱ）タイミングを特定することをさらに備える、Ｃ４に記載の方法。
［Ｃ１４］
前記第１のカバレージ拡張技法または前記第２のカバレージ拡張技法のうちの少なくとも１つが、チャネル反復を備え、
前記チャネル反復の長さが、前記ＵＥのカテゴリーに基づいて、前記ＵＥによって解釈される、Ｃ４に記載の方法。
［Ｃ１５］
前記第１のコンポーネントキャリアまたは前記第２のコンポーネントキャリアのうちの少なくとも１つが、ブロードキャストチャネルを備える、Ｃ１４に記載の方法。
［Ｃ１６］
制限された同時受信能力をもつユーザ機器（ＵＥ）からのワイヤレス通信のための装置であって、
前記ＵＥにおいて受信されるブロードキャストチャネルに関する受信時間を特定するための手段と、
前記特定に少なくとも部分的に基づいて、前記受信時間において、前記ＵＥにおいて受信されたユニキャストチャネルを復号することを控えるための手段とを備える装置。
［Ｃ１７］
前記ＵＥにおいて、システム情報ブロック（ＳＩＢ）または物理ブロードキャストチャネル（ＰＢＣＨ）のうちの少なくとも１つを備えるブロードキャストチャネルを受信するための手段をさらに備える、Ｃ１６に記載の装置。
［Ｃ１８］
前記ブロードキャストチャネルが、バンドルされたブロードキャストチャネルを備える、Ｃ１７に記載の装置。
［Ｃ１９］
ワイヤレス通信のための装置であって、
第１のカバレージ拡張技法に従って送信された第１のコンポーネントキャリアを受信するための手段と、
第２のカバレージ拡張技法に従って送信された第２のコンポーネントキャリアを受信するための手段と、ここにおいて、前記第２のカバレージ拡張技法が前記第１のカバレージ拡張技法とは異なる、を備える装置。
［Ｃ２０］
前記第１のカバレージ拡張技法および前記第２のカバレージ拡張技法が、バンドリングをそれぞれ備え、ここにおいて、前記第１のカバレージ拡張技法と前記第２のカバレージ拡張技法との間の違いが、バンドリングサイズの違いを備える、Ｃ１９に記載の装置。
［Ｃ２１］
前記第１のコンポーネントキャリアおよび前記第２のコンポーネントキャリアの経路損失を測定するための手段と、
初期アクセスのために、前記測定された経路損失に基づいて、前記第１のコンポーネントキャリアまたは前記第２のコンポーネントキャリアを選択するための手段とをさらに備える、Ｃ１９に記載の装置。
［Ｃ２２］
前記第１のコンポーネントキャリアおよび前記第２のコンポーネントキャリアの経路損失を測定するための手段と、
前記測定された経路損失に基づいて、フィードバックを送信するための手段と、前記フィードバックが、示唆された１次セル（ＰＣｅｌｌ）を備える、をさらに備える、Ｃ１９に記載の装置。
［Ｃ２３］
前記第１のコンポーネントキャリアおよび前記第２のコンポーネントキャリアについて、等しくソフトバッファを区分するための手段、ここにおいて、ハイブリッド自動再送要求（ＨＡＲＱ）プロセスの数またはバンドリング長さが、前記第１のコンポーネントキャリアおよび前記第２のコンポーネントキャリアの各々について異なる、をさらに備える、Ｃ１９に記載の装置。
［Ｃ２４］
前記第１のコンポーネントキャリアおよび前記第２のコンポーネントキャリアの各々のためのハイブリッド自動再送要求（ＨＡＲＱ）プロセスの数またはバンドリング長さに基づいて、ソフトバッファを区分するための手段、ここにおいて、前記ＨＡＲＱプロセスの数または前記バンドリング長さが、前記第１のコンポーネントキャリアおよび前記第２のコンポーネントキャリアの各々について異なる、をさらに備える、Ｃ１９に記載の装置。
［Ｃ２５］
前記装置が、
カバレージ拡張なしで送信された第３のコンポーネントキャリアを受信するための手段、ここにおいて、前記第３のコンポーネントキャリアが、限定されない数のハイブリッド自動再送要求（ＨＡＲＱ）プロセスとともに構成される、をさらに備え、
ここにおいて、前記第１のコンポーネントキャリアおよび前記第２のコンポーネントキャリアが両方とも、使用されるカバレージ拡張技法のタイプに基づいて、限定数の（ＨＡＲＱ）プロセスとともに構成される、Ｃ１９に記載の装置。
［Ｃ２６］
前記第１のコンポーネントキャリアおよび前記第２のコンポーネントキャリアが、前記ＵＥにおいて受信された複数のコンポーネントキャリアのサブセットに属し、ここにおいて、前記サブセットの各コンポーネントキャリアが、カバレージ拡張を必要とし、同数のハイブリッド自動再送要求（ＨＡＲＱ）プロセスに限定される、Ｃ１９に記載の装置。
［Ｃ２７］
前記第１のカバレージ拡張技法および前記第２のカバレージ拡張技法が、バンドリングをそれぞれ備え、
すべての制御チャネルが、最小のバンドリングを有する前記コンポーネントキャリアに割り振られる、Ｃ１９に記載の装置。
［Ｃ２８］
前記第１のコンポーネントキャリアがバンドルされた制御チャネルを備えるか、バンドルされない制御チャネルを備えるかに基づいて、ダウンリンク（ＤＬ）ハイブリッド自動再送要求（ＨＡＲＱ）タイミングを特定するための手段をさらに備える、Ｃ１９に記載の装置。
［Ｃ２９］
前記第１のカバレージ拡張技法または前記第２のカバレージ拡張技法のうちの少なくとも１つが、チャネル反復を備え、
前記チャネル反復の長さが、ユーザ機器（ＵＥ）のカテゴリーに基づいて、前記ＵＥによって解釈される、Ｃ１９に記載の装置。
［Ｃ３０］
前記第１のコンポーネントキャリアまたは前記第２のコンポーネントキャリアのうちの少なくとも１つが、ブロードキャストチャネルを備える、Ｃ２９に記載の装置。